(57)【要約】【課題】  空調装置本体のメンテナンスを容易に行うことができる空調システムを提供する。【解決手段】  本発明の空調システム１０は、各居住空間１２、１３の一部を規定する床部１６に設けられた開閉可能な開口部５１と、開口部５１を開閉可能な遮蔽部５２と、開口部５１の下方に設けられ、外部からの外気を取り入れて各居住空間１２、１３に給気し、かつ各居住空間１２、１３の空気を外部へ排気する空調装置本体１７とを備え、空調装置本体１７は、開口部５１と対向する位置に形成された本体開口部５３と、本体開口部５３を開閉可能な本体遮蔽部５４とを有する。【選択図】  図３
2007024358.tif 000002
【特許請求の範囲】
【請求項１】
居住空間の一部を構成する床部に形成された開口部と、該開口部を開閉可能な遮蔽部と、前記開口部の下方に設けられ、外部から外気を取り入れて前記居住空間に供給しかつ該居住空間の空気を外部へ排出する空調装置本体とを備え、
該空調装置本体は、前記開口部と対向する位置に形成された本体開口部と、該本体開口部を開閉可能な本体遮蔽部とを有することを特徴とする空調システム。
【請求項２】
前記床部には、前記空調装置本体から送られた空気を前記居住空間へ供給するための供給口と、前記居住空間の空気を前記空調装置本体に取り込むための取込口とが設けられ、該取込口および前記供給口の少なくとも一方には、前記居住空間から進入した異物が前記空調装置本体へと到達することを防止するトラップが設けられていることを特徴とする請求項１に記載の空調システム。
【請求項３】
前記空調装置本体は、前記供給口に接続された給気ダクトを介して前記供給口から前記居住空間へと給気し、前記床部の下方に形成された空間を空気の通路として利用することにより前記取込口から前記居住空間の空気を取り込むことを特徴とする請求項２に記載の空調システム。
【請求項４】
前記空調装置本体は、前記居住空間の下方に階下居住空間を有する建物の該階下居住空間と前記居住空間との間に形成される階間空間に配置され、前記階下居住空間に外部から外気を取り入れて供給し、かつ該階下居住空間の空気を外部へと排出することを特徴とする請求項１ないし請求項３のいずれか１項に記載の空調システム。
【請求項５】
前記空調装置本体には、空気の通路を形成するダクトの接続が可能な複数の接続口が設けられ、複数の該接続口の少なくとも１つには、内部の通路を確保した状態で撓み変形可能な可撓筒部が取り付けられ、該可撓筒部は、前記接続口と前記ダクトとを接続可能であることを特徴とする請求項１ないし請求項４のいずれか１項に記載の空調システム。
【請求項６】
前記可撓筒部と前記ダクトとは、互いの嵌合が可能であり、前記可撓筒部には、嵌合状態にある該可撓筒部と前記ダクトとの嵌合個所を取り巻くように締付可能な締結手段が設けられていることを特徴とする請求項５に記載の空調システム。
【請求項７】
請求項１ないし請求項６のいずれか１項に記載の空調システムを備えたことを特徴とする建物。
【発明の詳細な説明】
【技術分野】
【０００１】
本発明は、建物内の換気を行う換気機能を有する換気装置等の空調システムおよびこの空調システムを備えた建物に関する。
【背景技術】
【０００２】
建物内の換気を行う空調システムでは、取り込んだ外気を居住空間へと供給し、居住空間の汚れた空気を外部へ排出する空調装置本体を有するものがある。このような空調システムでは、換気対象となる居住空間の天井の上方に形成される空間に空調装置本体が配置されているものがある（例えば、特許文献１参照）。
【特許文献１】特開閉１０−２８１５２３号公報（第２−７頁、第１図）
【発明の開示】
【発明が解決しようとする課題】
【０００３】
この空調システムでは、例えば、取り込まれる外気に含まれる花粉および塵埃等を取り除くためのフィルタが空調装置本体に設けられ、このフィルタの目詰まりに応じたフィルタの交換作業のような空調装置本体のメンテナンスが必要となる。ところが、空調装置本体は、天井の上方に配置されていることから、天井に設けられた点検口からメンテナンスを行う必要がある。このため、メンテナンスの作業は、高い位置でかつ上向きで行うこととなり、容易なことではない。
【０００４】
そこで、本発明の目的は、空調装置本体のメンテナンスを容易に行うことができる空調システムおよびこの空調システムが採用された建物を提供することにある。
【課題を解決するための手段】
【０００５】
上記した課題を解決するために、請求項１に記載の空調システムは、居住空間の一部を構成する床部に形成された開口部と、該開口部を開閉可能な遮蔽部と、前記開口部の下方に設けられ、外部から外気を取り入れて前記居住空間に供給しかつ該居住空間の空気を外部へ排出する空調装置本体とを備え、該空調装置本体は、前記開口部と対向する位置に形成された本体開口部と、該本体開口部を開閉可能な本体遮蔽部とを有することを特徴とする。
【０００６】
請求項２に記載の空調システムは、請求項１に記載の空調システムであって、前記床部には、前記空調装置本体から送られた空気を前記居住空間へ供給するための供給口と、前記居住空間の空気を前記空調装置本体に取り込むための取込口とが設けられ、該取込口および前記供給口の少なくとも一方には、前記居住空間から進入した異物が前記空調装置本体へと到達することを防止するトラップが設けられていることを特徴とする。
【０００７】
請求項３に記載の空調システムは、請求項２に記載の空調システムであって、前記空調装置本体は、前記供給口に接続された給気ダクトを介して前記供給口から前記居住空間へと給気し、前記床部の下方に形成された空間を空気の通路として利用することにより前記取込口から前記居住空間の空気を取り込むことを特徴とする。
【０００８】
請求項４に記載の空調システムは、請求項１ないし請求項３のいずれか１項に記載の空調システムであって、前記空調装置本体は、前記居住空間の下方に階下居住空間を有する建物の該階下居住空間と前記居住空間との間に形成される階間空間に配置され、前記階下居住空間に外部から外気を取り入れて供給し、かつ該階下居住空間の空気を外部へと排出することを特徴とする。
【０００９】
請求項５に記載の空調システムは、請求項１ないし請求項４のいずれか１項に記載の空調システムであって、前記空調装置本体には、空気の通路を形成するダクトの接続が可能な複数の接続口が設けられ、複数の該接続口の少なくとも１つには、内部の通路を確保した状態で撓み変形可能な可撓筒部が取り付けられ、該可撓筒部は、前記接続口と前記ダクトとを接続可能であることを特徴とする。
【００１０】
請求項６に記載の空調システムは、請求項５に記載の空調システムであって、前記可撓筒部と前記ダクトとは、互いの嵌合が可能であり、前記可撓筒部には、嵌合状態にある該可撓筒部と前記ダクトとの嵌合個所を取り巻くように締付可能な締結手段が設けられていることを特徴とする。
【００１１】
請求項７に記載の建物は、請求項１ないし請求項６のいずれか１項に記載された空調システムを備えたことを特徴とする。
【発明の効果】
【００１２】
本発明に係る空調システムによれば、遮蔽部を開けて居住空間の床部に設けられた開口部を開放し、本体遮蔽部を開けて開口部の下方に位置する本体開口部を開放することで、空調装置本体のメンテナンスが可能である。このため、メンテナンスの作業は、床部から覗き込んで行うことができ、容易に行うことができる。
【発明を実施するための最良の形態】
【００１３】
本発明を図１ないし図９に示した各実施例に沿って詳細に説明する。
【実施例１】
【００１４】
図１は、本発明の空調システム１０を備えた建物１１を模式的に示す斜視図である。図２は、空調システム１０の建物１１内での配置関係を模式的に示した斜視図であり、図３は、空調システム１０により建物１１が換気される様子を模式的に示す断面図である。なお、図３は、建物１１内での空気の流れを表すための模式的な図面であり、建物１１内の部屋あるいはドア等の位置は必ずしも他の図面と一致するものではない。
【００１５】
建物１１は、１階居住空間１２と、２階居住空間１３と、階間空間１４（図２参照。）とを有する。１階居住空間１２および２階居住空間１３は、それぞれが内部に壁で仕切られた複数の部屋を有する。各部屋間は、壁あるいはドアの下部に設けられた隙間Ｇ（図３参照。）を介して空気の行き来が可能とされている。図２に示すように、階間空間１４は、１階居住空間１２と２階居住空間１３との間に位置し、１階居住空間１２の天井部１５により下面が、２階居住空間１３の床部１６により上面が、および建物１１の側周壁により側周面が規定されている。階間空間１４には、空調システム１０の空調装置本体１７が配置されている。
【００１６】
次に、空調装置本体１７の内部構成について詳細に説明する。図４は、空調装置本体１７の内部構成を模式的に示す断面図である。
【００１７】
空調装置本体１７は、本体ケース１８を有する。本体ケース１８は、全体に直方体形状を呈する箱形の金属ケースであり、長手方向に２つの空間に分割する仕切板１９が設けられている。本体ケース１８の一方の空間は、給気ファン２０および排気ファン２１が設置されるファン設置室２２となり、他方の空間は、熱交換素子２３が設置される熱交換室２４となる。本体ケース１８には、ファン設置室２２側の側壁部１８ａに外気吸入口２５および排気口２６が、他方の側壁部１８ｂすなわち熱交換室２４側の側壁部１８ｂには複数の給気口２７（図１および図２参照。）および還気口２８が形成されている。
【００１８】
外気吸入口２５は、建物１１の外部の新鮮な空気ＯＡ（Outer Air：外気）の本体ケース１８への吸入個所となる。給気口２７は、外気ＯＡが熱交換素子２３を通過した後の空気ＳＡ（Supply Air：給気）の各居住空間１２、１３へ向けた本体ケース１８からの供給個所となる。還気口２８は、各居住空間１２、１３の空気ＲＡ（Return Air：還気）の本体ケース１８への取り込み個所となる。排気口２６は、還気ＲＡが熱交換素子２３を通過した後の空気ＥＡ（Exhaust Air：排気）の建物１１の外部へ向けた本体ケース１８からの排出個所となる。
【００１９】
熱交換素子２３は、図示は略すが、段ボールの板紙のように、平板な板紙上に波状断面の板紙が接着され波状断面の空気の通路を形成する第１の板材および第２の板材が、互いの空気の通路が直交するように多数層に重ねられて構成され、第１の板材の通路および第２の板材の通路を通る空気の間において潜熱および顕熱または顕熱のみの熱交換が可能である。このため、一方の通路に還気ＲＡを流し、他方の通路に外気ＯＡを流すことにより、外気ＯＡと還気ＲＡとの間で熱交換を行うことができる。
【００２０】
熱交換素子２３は、本体ケース１８の内方で保持部材２９により挟持されている。保持部材２９は、発泡樹脂（例えば発泡ポリスチレン、発泡ポリプロピレン、発泡ポリエチレン、発泡ポリ塩化ビニル等）から形成され、圧縮したときに短時間で原型復帰する弾性作用を有する。保持部材２９は熱交換素子２３を保持した状態で、側壁部１８ｂと仕切板１９との間に圧入されている。
【００２１】
熱交換素子２３を保持した状態の保持部材２９は、本体ケース１８の熱交換室２４を上下方向に２つに分割する仕切板部３０を有する。仕切板部３０は、熱交換素子２３の角部２３ａ、２３ｂに当接している。このため、熱交換室２４は、熱交換素子２３を介して上下方向に２つに分割され、熱交換室２４には、熱交換素子２３で互いに交差する２つの通路（矢印Ａ、Ｂ参照。）が形成されている。熱交換素子２３の４つの角部は面取りされかつシール部材（図示せず。）が貼られており、互いに交差する両通路Ａ、Ｂ間での空気の行き来が防止されている。
【００２２】
各通路Ａ、Ｂは、本体ケース１８内で、仕切板１９に設けられた開口１９ａ、１９ｂを経てファン設置室２２に通じている。ファン設置室２２は、仕切板３１により上下方向に２つに分割され、上側の空間３２が開口１９ａを経て通路Ａに通じ、下側の空間３３が開口１９ｂを経て通路Ｂに通じている。仕切板３１には、それを貫通するようにモータ（駆動部）３４が取り付けられている。モータ３４は、図示しない制御基板に接続され、この制御基板からの電力制御により回転する。モータ３４の回転軸３５には、上側の空間３２で給気ファン２０が取り付けられ、下側の空間３３で排気ファン２１が取り付けられている。両ファン２０、２１は、仕切板３１を挟んで並列しモータ３４の回転により動作可能とされている。
【００２３】
上側の空間３２は、外気吸入口２５に通じており、下側の空間３３は、排気口２６に通じている。上側の空間３２に通じる通路Ａは、側壁部１８ｂの給気口２７に通じており、下側の空間３３に通じる通路Ｂは、側壁部１８ｂの還気口２８に通じている。給気ファン２０は、通路Ａに外気ＯＡを送り、排気ファン２１は、通路Ｂからの排気ＥＡを建物１１の外部へと送る。
【００２４】
外気吸入口２５、排気口２６、給気口２７および還気口２８には、それぞれにダクトジョイント３６が取り付けられている。外気吸入口２５は、ダクトジョイント３６を介して外気吸入ダクト３７（図１ないし図３参照。）に接続されており、外気吸入ダクト３７は、建物１１の外部に通じている。給気口２７は、ダクトジョイント３６を介して給気ダクト３８に接続されており、給気ダクト３８は各居住空間１２、１３に通じている。還気口２８は、ダクトジョイント３６を介して還気ダクト３９に接続されており、還気ダクト３９は給気ダクト３８とは別に各居住空間１２、１３に通じている。排気口２６は、ダクトジョイント３６を介して排気ダクト４０（図１ないし図３参照。）に接続されており、排気ダクト４０は、外気吸入ダクト３７とは別に建物１１の外部に通じている。
【００２５】
本発明の空調システム１０では、空調装置本体１７が２階居住空間１３の床部１６の近接位置で階間空間１４に設けられている。空調装置本体１７は、階間空間１４に配接された両野縁４１に吊り金具４２により取り付けられている（図４および図５参照。）。両野縁４１は、床部１６の近接位置で床部１６に沿って延在しており、空調装置本体１７の本体ケース１８の上面は、床部１６の近接位置で床部１６に沿って配置されている。
【００２６】
床部１６には、空調装置本体１７の上方位置に床下点検口５０が設けられている。床下点検口５０は、床部１６を貫通する開口部５１と、これを封止可能な遮蔽部５２とを有する。遮蔽部５２は、図示を略すヒンジにより開口部５１の縁部に取り付けられており、開口部５１を開閉自在とされている。
【００２７】
本体ケース１８の上面には、床部１６の開口部５１と対向する位置に、本体開口部５３が設けられている。本体開口部５３は、本体ケース１８の熱交換室２４の上方を開放する貫通孔であり、本体遮蔽部５４により封止可能である。本体遮蔽部５４は、図示を略すヒンジにより本体開口部５３の縁部に取り付けられており、本体開口部５３を開閉自在とされている。
【００２８】
通路Ａ、Ｂには、フィルタ５５、５６が設けられている。フィルタ５５は、外気ＯＡに含まれる塵埃が通路Ａを経て両各居住空間１２、１３に進入すること防止し、フィルタ５６は、還気ＲＡに含まれる塵埃が通路Ｂを経て建物１１から排出されることを防止する。両フィルタ５５、５６は、熱交換素子２３の各上面を覆うように配置されており、着脱可能とされている。また、空調装置本体１７では、熱交換素子２３を保持する保持部材２９が本体開口部５３から脱着可能とされており、本体開口部５３から熱交換素子２３を取り出すことができる。
【００２９】
給気口２７に通じる給気ダクト３８は、１階供給グリル５７を介して１階居住空間１２に通じ、２階供給グリル５８を介して２階居住空間１３に通じている。１階供給グリル５７は、１階居住空間１２の天井部１５に取り付けられており、給気ダクト３８から送られた給気ＳＡを１階居住空間１２に供給する。
【００３０】
２階供給グリル５８は、２階居住空間１３の床部１６に設けられている。２階供給グリル５８は、天板部５９と筒部６０とを有する。２階供給グリル５８は、天板部５９が２階居住空間１３の床面と同一平面を為すように、床部１６に取り付けられている。天板部５９は、２階居住空間１３の床面の一部を構成可能な板部材であり、かつ空気の通過を可能とする空気孔（図示せず。）が設けられている。この天板部５９に、筒部６０が取り付けられている。
【００３１】
筒部６０は、天板部５９の法線方向に延在する一端閉鎖の筒形状を呈している。筒部６０には、その高さ方向の中間位置に取付口６１が設けられている。取付口６１には、給気ダクト３８が接続され、筒部６０を経て給気ダクト３８から天板部５９へ至る通路Ｃが形成されている。このため、２階供給グリル５８は、給気ダクト３８から送られた給気ＳＡを２階居住空間１３に供給することができる。このとき、２階供給グリル５８では、筒部６０の底部分（６２）が通路Ｃよりも下方に位置しているので、２階居住空間１３から２階供給グリル５８の天板部５９を経て通路Ｃに入り込んだ異物は、その重量により空気の流れにもっていかれることなく各筒部６０の底部分（６２）に達する。このように、２階供給グリル５８の筒部６０の底部分（６２）は、異物の空調装置本体１７への到達を防止するトラップ６２として機能する。
【００３２】
実施例１では、１階供給グリル５７および２階供給グリル５８は、図１および図２に示すように、互いに対を為して３個所に設けられている。一対の１階供給グリル５７および２階供給グリル５８には、１本の給気ダクト３８が対応しており、１階供給グリル５７および２階供給グリル５８の設置個所の近傍位置で分岐され、１階供給グリル５７および２階供給グリル５８に接続されている。
【００３３】
還気口２８に通じる還気ダクト３９は、図４に示すように、１階取込グリル６３を介して１階居住空間に通じ、２階取込グリル６４を介して２階居住空間１３に通じている。１階取込グリル６３は、１階居住空間１２の天井部１５に取り付けられており、１階居住空間１２の空気を取り込んで還気ＲＡとして還気ダクト３９へと送る。
【００３４】
２階取込グリル６４は、２階居住空間１３の床部１６に設けられている。２階取込グリル６４は、２階供給グリル５８と同様に、天板部６５と筒部６６とを有する。２階取込グリル６４は、天板部６５が２階居住空間１３の床面と同一平面を為すように、床部１６に取り付けられている。天板部６５は、２階居住空間１３の床面の一部を構成可能な板部材であり、かつ空気の通過を可能とする空気孔（図示せず。）が設けられている。この天板部６３に、筒部６６が取り付けられている。
【００３５】
筒部６６には、その延在方向の中間位置に還気ダクト３９が接続される取付口６７が設けられており、筒部６６を経て天板部６５から還気ダクト３９へ至る通路Ｄが形成されている。このため、２階取込グリル６４は、２階居住空間１３の空気を還気ＲＡとして還気ダクト３９へ送ることができる。このとき、２階取込グリル６４では、２階供給グリル５８と同様に、筒部６４の底部分（６２）がトラップ６２として機能する。
【００３６】
実施例１では、１階取込グリル６３および２階取込グリル６４は、図１および図２に示すように、互いに対を為して３個所に設けられている。一対の１階取込グリル６３および２階取込グリル６４には、１本の還気ダクト３９が対応しており、１階取込グリル６３および２階取込グリル６４の設置個所の近傍位置で分岐され、１階取込グリル６３および２階取込グリル６４に接続されている。
【００３７】
空調システム１０は、モータ３４を回転駆動させると、排気ファン２１が回転して、各居住空間１２、１３内の室内空気は、還気ＲＡとして１階取込グリル６３および２階取込グリル６４から通路Ｂに取り込まれ、熱交換素子２３を通過する。このとき、給気ファン２０も回転するので、外気ＯＡが外気吸入ダクト３７を経て本体ケース１８のファン設置室２２に吸入されて通路Ａに流入し、熱交換素子２３を通過する。これにより、熱交換素子２３では、外気ＯＡと還気ＲＡとの間で熱交換が行われ、外気ＯＡは給気ＳＡとして各給気口２７から各居住空間１２、１３に向けて供給され、還気ＲＡは排気ＥＡとして排気口２６から建物１１の外部へ向けて排出される。このため、両居住空間１２、１３では、各１階供給グリル５７および各２階供給グリル５８から給気ＳＡが供給され（図１および図２参照。）、各部屋内の空気が循環される（図３参照。）。各部屋間は隙間Ｇ（図３参照。）により空気の行き来が可能とされているので、両居住空間１２、１３内を循環された空気は、両居住空間１２、１３の略中央位置に設けられた両取込グリル６３、６４に取り込まれ、還気ＲＡとして還気ダクト３９に送られる。よって、空調システム１０は、各部屋内の熱エネルギーを逃がすことなく、建物１１内を換気することができる。
【００３８】
実施例１の空調システム１０では、空調装置本体１７が２階居住空間１３の床部１６の下方に配置され、床部１６には、床下点検口５０が設けられ、空調装置本体１７には、本体開口部５３が設けられているので、例えば、空調装置本体１７のフィルタ５５、５６を交換する場合、床下点検口５０の遮蔽部５２を開け、本体開口部５３の本体遮蔽部５４を開けて、２階居住空間１３の床部１６から下方を覗き込むように作業すればよい。このため、従来のように、空調装置本体が天井に設置されている空調システムに比較して、容易にメンテナンスを行うことができる。また、本体開口部５３から熱交換素子２３を容易に取り出すことができるので、熱交換素子２３のメンテナンスの作業を容易に行うことができる。さらに、空調装置本体１７の他の構成個所についても、フィルタ５５、５６および熱交換素子２３と同様に、容易にメンテナンスすることができる。
【００３９】
空調システム１０では、２階居住空間１３の床部１６に床下点検口５０が設けられており、さらに、空調装置本体１７が床部１６の近傍位置で床部１６に沿って配接されている野縁４１に取り付けられているので、床下点検口５０から空調装置本体１７を設置することができる。このため、２階居住空間１３から取り付け作業を行うことができるので、従来の空調システムのように、空調装置本体を持ち上げ、上を向きながら取り付け作業を行うことに比較して、取り付け作業が容易である。
【００４０】
空調システム１０では、２階居住空間１３の床部１６に設けられた各２階供給グリル５８および２階取込グリル６４にトラップ６２が設けられているので、２階居住空間１３の異物が各２階供給グリル５８および２階取込グリル６４内に入り込んだ場合であっても、異物が空気の流れに拘わらずトラップ６２に溜められるので、異物により通路Ｃ、Ｄ（図４参照。）が塞がれることを防止することができる。また、各２階供給グリル５８および２階取込グリル６４を２階居住空間１３の床部１６に設けられた状態で天板部５９、６５を取り外し可能な構成とすることで、トラップ６２に溜められた異物を取り除くメンテナンス作業が容易とすることができる。このため、空調システム１０では、各２階供給グリル５８および２階取込グリル６４が、２階居住空間１３の床面の一部を構成することにより、居住空間の天井に設けられたグリルに比較して異物が各２階供給グリル５８および２階取込グリル６４へと入り込む確率が高まるが、この異物の進入による弊害をトラップ６２で防止することができる。
【００４１】
空調システム１０では、階間空間１４に設けられた空調装置本体１７が、１階居住空間１２の天井部１５に設けられた各１階供給グリル５７および１階取込グリル６３で１階居住空間１２の換気を行ない、２階居住空間１３の床部１６に設けられた各２階供給グリル５８および２階取込グリル６４で２階居住空間１３の換気を行なっている。このため、従来の空調システムに比較して、給気ダクト３８および還気ダクト３９の流路抵抗の増加を抑制できることから両ファン２０、２１の風量の増加を抑制することができ、間仕切り内を立ち上げる必要がないことから給気ダクト３８および還気ダクト３９の配接が容易となる。これは、従来の空調システムでは、各居住空間との空気のやり取りが各居住空間の天井から行われているので、階間空間に設けられた１つの空調装置本体で１階居住空間と２階居住空間とを換気する場合、２階居住空間の間仕切り内を立ち上げるようにダクトを配接する必要があることからダクトの配接が容易でないこと、間仕切り内の空間が限られていることから細いダクトを用いる必要がありダクトの流路抵抗が高くなることによる。
【００４２】
空調システム１０では、１階居住空間１２と２階居住空間１３とを換気することができるが、空調装置本体１７の外気吸入口２５に接続された外気吸入ダクト３７の建物１１の外部への開放口６８（図２および図３参照。）と、排気口２６に接続された排気ダクト４０の建物１１の外部への開放口６９（図２および図３参照。）とをそれぞれ１個ずつ設ければよく、従来の空調システムに比較して開放口の数を少なくすることができ、建物１１の外観の向上を図ることができる。これは、従来の空調システムでは、一般に１つの空調装置本体で１つのフロアの換気を行っており、１階居住空間１２と２階居住空間１３とを換気する場合、２つの空調装置本体を用いることから少なくとも４つの開放口が必要となることによる。
【実施例２】
【００４３】
次に、実施例２の空調システム１００について説明する。実施例２は、階間空間１４を空気の通路として利用した例である。空調システム１００は、その基本的な構成は実施例１と同様であるので、同一機能部分には実施例１と同一の符号を付し、その詳細な説明は省略する。
【００４４】
図６に示すように、空調システム１００では、空調装置本体１７の還気口２８、１階取込グリル６３および２階取込グリル６４の取付口６７には、ダクトが接続されておらず、いずれも階間空間１４に開放されている。階間空間１４は、還気口２８、１階取込グリル６３および取付口６７を除くと、高い密閉性が確保できるように構成されている。このため、還気口２８は、階間空間１４の空気を還気ＲＡとして取り込むこととなり、この空気の取り込みにより階間空間１４が負圧とされ、各居住空間１２、１３の空気が１階取込グリル６３および２階取込グリル６４に取り込まれる。給気ＳＡは、空調システム１０と同様に、各居住空間１２、１３に供給される。よって、空調システム１００では、実施例１の空調システム１０と同様に、建物１１内を換気することができる。
【００４５】
空調システム１００では、２階居住空間１３の床部１６の床下点検口５０から空調装置本体１７のメンテナンスを行うことができるので、実施例１の空調システム１０と同様に、空調装置本体１７のメンテナンスを容易に行うことができる。
【００４６】
また、各２階供給グリル５８および２階取込グリル６４には、トラップ６２が設けられているので、２階居住空間１３から入り込んだ異物が通路Ｃを塞ぐこと、および１階取込グリル６３から入り込んだ異物が階間空間１４に蓄積されることを防止することができる。
【００４７】
空調システム１００では、階間空間１４を空気の通路として利用することにより、還気ダクト３９を設ける必要がなくなるので、階間空間１４での設置物の取り回しが容易となり、階間空間１４での設置物の配接作業が容易となる。
【実施例３】
【００４８】
次に、実施例３について説明する。実施例３は、空調装置本体１７の外気吸入口２５、排気口２６、給気口２７および還気口２８に、ダクトジョイント３６に代えて可撓筒部７０が取り付けられた例である。外気吸入口２５、排気口２６、給気口２７および還気口２８に取り付けられた可撓筒部７０は、いずれも同様の構成であるので、実施例３では、給気口２７に取り付けられた可撓筒部７０について説明し、その他についての説明は省略する。
【００４９】
図７に示すように、空調装置本体１７の給気口２７には、可撓筒部７０の一端７０ａが取り付けられている。可撓筒部７０は、全体に筒形状を呈し、かつその内径寸法を殆ど変化させることなく、筒体の中心軸線を湾曲させる撓み変形が可能に形成されている。実施例３では、可撓筒部７０は、弾性変形が可能な材料からなり、その周壁部７１に蛇腹構造が採用されている。
【００５０】
可撓筒部７０の他端７０ｂには、接続部７２が設けられている。接続部７２は、筒体部分７３と、フランジ部分７４と、締結手段７５とを有する。
【００５１】
筒体部分７３は、筒形状を呈し、他端７０ｂから可撓筒部７０の中心軸線方向に突出している。筒体部分７３は、給気ダクト３８により外方が取り巻かれた状態での給気ダクト３８の嵌合を許す。フランジ部分７４は、筒体部分７３からその半径方向に向けて鍔状に突起しており、嵌合された給気ダクト３８と当接することにより給気ダクト３８の嵌合位置（給気ダクト３８の軸線方向の嵌合深さ）を決めることができる。
【００５２】
締結手段７５は、筒体部分７３の直径の延長線上で筒体部分７３を挟んで対向するように、２個所に設けられており、それぞれが基礎部分７６と帯状部分７７とを有する。基礎部分７６は、フランジ部分７４から半径方向へ延在している。基礎部分７６には、挿通孔７８と係止突起７９とが設けられている。挿通孔７８は、帯状部分７７の挿通を許す長孔であり、筒体部分７３の半径方向に伸長している。係止突起７９は、筒体部分７３の中心軸線方向に沿って基礎部分７６から突起しており、先端が膨径している。
【００５３】
帯状部分７７は、基礎部分７６から筒体部分７３の接線方向に沿って延在している。帯状部分７７は、挿通孔７８に挿通可能な形状に形成され、複数の受入孔８０を有する。受入孔８０は、係止突起７９に係合するための貫通孔である。受入孔８０には、係止突起７９の膨径個所の挿通を可能とするための切れ込み８１が設けられている。
【００５４】
次に、接続部７２への給気ダクト３８の接続方法を説明する。
【００５５】
図７に示すように、給気ダクト３８が接続部７２の筒体部分７３に嵌合され、給気ダクト３８がフランジ部分７４に当接される（矢印Ｏ参照。）。
【００５６】
両締結手段７５の基礎部分７６が給気ダクト３８の外周に接するように、両締結手段７５が折り曲げられる（矢印Ｐ参照。）。
【００５７】
図８に示すように、折り曲げられた両締結手段７５の一方の帯状部分７７を他方の挿通孔７８に挿通する（矢印Ｑ参照。）。
【００５８】
図９に示すように、両帯状部分７７を引っ張って給気ダクト３８を締め付けることで、給気ダクト３８を筒体部分７３に密着させる。この状態で、挿通された一方の締結手段７５の帯状部分７７の受入孔８０を他方の締結手段７５の係止突起７９と係合させる。
【００５９】
これにより、給気ダクト３８を接続部７２に接続することができる。給気ダクト３８は、締結手段７５により固く締め付けられていることから、高い密閉性と高い結合度とが確保された状態で接続部７２に接続されている。
【００６０】
実施例３の空調装置本体１７では、ダクトジョイントに代えて可撓筒部７０が取り付けられているので、外気吸入口２５、排気口２６、給気口２７および還気口２８と、外気吸入ダクト３７、排気ダクト４０、給気ダクト３８および還気ダクト３９との接続作業が容易である。このことは、外気吸入ダクト３７、排気ダクト４０、給気ダクト３８および還気ダクト３９に、スパイラルダクトのように曲げ加工が困難な部材が用いられた場合、空調装置本体１７側の可撓筒部７０により容易に位置ずれ分を吸収することができるので、より効果的である。
【００６１】
また、可撓筒部７０の接続部７２には、締結手段７５が設けられているので、従来の空調装置本体の取り付け作業に比較して、外気吸入ダクト３７、排気ダクト４０、給気ダクト３８および還気ダクト３９を接続する作業が容易となる。これは、従来の空調装置本体では、ダクトをダクトジョイントに嵌合させた後、ダクトの上からアルミテープを巻き付けることにより、高い密閉性と高い結合度とを確保している。この作業では、作業員がアルミテープを持っていくこと、および狭い個所でアルミテープを巻き付けることが必要であることによる。
【００６２】
なお、実施例３では、空調装置本体１７の外気吸入口２５、排気口２６、給気口２７および還気口２８の全てに可撓筒部７０が取り付けられていたが、いずれか１個所のみに可撓筒部７０を採用してもよく、上記した実施例３に限定されるものではない。
【００６３】
また、実施例３では、接続部７２には、締結手段７５が設けられていたが、従来と同様にアルミテープを用いて接続すればよく、締結手段７５をなくすことができる。
【００６４】
実施例３では、締結手段７５は、可撓筒部７０の先端に設けられた接続部７２に設けられていたが、従来のダクトジョイントに設けてもよく、実施例３に限定されるものではない。
【００６５】
実施例３では、可撓筒部７０には、その周壁部７１に蛇腹構造が採用されていたが、内径寸法を殆ど変化させることなく筒体の中心軸線を湾曲させる撓み変形が可能であればよく、実施例３に限定されるものではない。
【００６６】
なお、上記した各実施例では、２階居住空間１３の床部１６に設けられた２階供給グリル５８および２階取込グリル６４には、トラップ６２が形成されていたが、これをなくすことができる。しかしながら、２階供給グリル５８および２階取込グリル６４は、２階居住空間１３の床部１６に設けられていることから、異物が進入し易いのでトラップ６２を設けることが望ましい。
【００６７】
上記した各実施例では、２階供給グリル５８の天板部５９および２階取込グリル６４の天板部６５は、２階居住空間１３の床面と同一平面を構成していたが、２階供給グリル５８および２階取込グリル６４が２階居住空間１３の床部１６に設けられていればよく、上記した各実施例に限定されるものではない。
【００６８】
上記した各実施例では、１つの空調装置本体１７で、２つのフロアの居住空間（１階居住空間１２および２階居住空間１３）の換気を行う構成であったが、換気を行う居住空間の下方の空間に空調装置本体が配置され、かつ当該居住空間の床面の空調装置本体と適合する位置に床下点検口が設けられていればよく、上記した各実施例に限定されるものではない。例えば、マンションの各居住空間を換気するために、当該居住空間の床下空間に空調装置本体を配置し、この空調装置本体の上方の床面に床下点検口を設けることにより、空調装置本体の設置およびメンテナンスの作業を容易とすることができる。
【００６９】
上記した各実施例では、供給グリルおよび還気グリルがそれぞれ１階居住空間１２と２階居住空間１３とで対を為して設けられていたが、対を為す必要はなく居住空間の面積および間取り等を考慮して所望の位置に配置すればよく、上記した各実施例に限定されるものではない。
【００７０】
上記した各実施例では、空調システム１０、１００は、２階立ての建物１１に採用されていたが、例えば、マンションの３階居住空間と４階居住空間とを換気するものであってもよく、上記した各実施例に限定されるものではない。
【００７１】
上記した各実施例では、空調装置本体１７には熱交換素子２３が設けられていたが、空調装置本体は、外部の空気を吸入して居住空間に供給し、かつ居住空間の空気を取り込んで外部へと排出するものであればよく、上記した各実施例に限定されるものではない。
【００７２】
上記した各実施例では、本体ケース１８に複数の給気口２７を設け、それぞれに接続された給気ダクト３８を介して各給気口２７と各１階供給グリル５７および２階供給グリル５８とを接続する構成とされていたが、本体ケース１８から各１階供給グリル５７および２階供給グリル５８へ至る風路（空気通路）は、これに限定されるものではない。例えば、本体ケース１８に単一の給気口を設け、この給気口に接続した単一の給気ダクトを分岐チャンバに接続し、この分岐チャンバで風路を分岐しそれぞれに対応するダクトを介して各１階供給グリル５７および２階供給グリル５８に接続することにより、本体ケース１８から各１階供給グリル５７および２階供給グリル５８へ至る風路を形成する構成であってもよい。
【図面の簡単な説明】
【００７３】
【図１】本発明に係る空調システムが採用された建物を模式的に示す斜視図である。
【図２】空調システムの建物内での配置関係を模式的に示した斜視図である。
【図３】空調システムにより建物が換気される様子を模式的に示す断面図である。
【図４】階間空間に設置された空調装置本体、供給グリルおよび取込グリルを模式的に示す断面図である。
【図５】図４に示したI―I線に沿って得られた断面図である。
【図６】本発明に係る空調システムの他の例を示す図４と同様の断面図である。
【図７】本発明に係る空調システムの空調装置本体の他の例を模式的に示す斜視図である。
【図８】図７の空調装置本体の可撓筒部への給気ダクトの接続方法を説明するための斜視図である。
【図９】図７の空調装置本体の可撓筒部への給気ダクトの接続方法を説明するための斜視図であり、図８の次の段階を示している。
【符号の説明】
【００７４】
１０、１００  空調システム
１１  建物
１２  （階下居住空間としての）１階居住空間
１３  （居住空間としての）２階居住空間
１４  階間空間
１７  空調装置本体
２５  （接続口としての）外気吸入口
２６  （接続口としての）排気口
２７  （接続口としての）給気口
２８  （接続口としての）還気口
３８  給気ダクト
５１  開口部
５２  遮蔽部
５３  本体開口部
５４  本体遮蔽部
５８  （供給口としての）２階供給グリル
６２  トラップ
６４  （取込口としての）２階取込グリル
７０  可撓筒部
７５  締結手段
【図１】
2007024358.tif 000003
【図２】
2007024358.tif 000004
【図３】
2007024358.tif 000005
【図４】
2007024358.tif 000006
【図５】
2007024358.tif 000007
【図６】
2007024358.tif 000008
【図７】
2007024358.tif 000009
【図８】
2007024358.tif 000010
【図９】
2007024358.tif 000011